(57)【要約】【課題】課題１は、荷役用パレット等に段積みされ、荷崩れ防止用バンドの段差部分に積載された積荷が、移送時の振動等による床面への落下を防止し、また荷姿が異なる各種積荷に適合可能な汎用性あるバンドＢの提供で、課題２は、バンドＢにおける折り返し用ロッド及び牽引用ロッド、特に折り返し用ロッドが牽引作業時の荷重、使用頻度の高まり、移送時の振動、衝撃等による装着部からの脱落を防止する。【解決手段】バンドＢは、所定の長さＬ１と幅員Ｗ１を有する本体部１と該本体部１の一端を延設した係止部２からなり、本体部１の他端には折り返し用ロッド１ａが装着部１３ｃに嵌装され、係止部２の端部には、牽引用ロッド２ａが、装着部２ｂ、２ｃに嵌装され、本体部１と係止部２の上端部と下端部に設けられた段差ｈ１は、それぞれ約５ｃｍ以下とされている。【選択図】図１
2009051563.tif 000002
【特許請求の範囲】
【請求項１】
所定の長さと幅員を有する本体部と該本体部の一端を延設した係止部と、
前記本体部の他端に装着された折り返し用ロッドと、
前記係止部の端部に装着された牽引用ロッドと、
前記本体部及び係止部と装着部と、
前記本体部と係止部の表面に取り付けられた係止部材とから構成され、
段積みされた積荷の外周面を、水平方向に巻回し、前記折り返し用ロッドと牽引用ロッドにより、該積荷を引き締めて固定する荷崩れ防止用バンドであって、
前記折り返し用ロッド及び／又は牽引用ロッドは、それぞれ本体部と係止部の上下端部近傍に縫着された装着部に嵌装され、
前記本体部の上下端と前記係止部の上下端に形成される段差を狭小とすると共に、
前記折り返し用ロッド及び／又は牽引用ロッドは、固定手段により、前記装着部内での回動及び脱落が防止されていることを特徴とする、荷崩れ防止用バンド。
【請求項２】
前記折り返し用ロッドは、本体部他端の端縁の外側に配設されていることを特徴とする、請求項１に記載の荷崩れ防止用バンド。
【請求項３】
前記本体部と前記係止部の段差は、荷崩れ防止用バンドの長さ及び幅員に関係なく一定の段差寸法としたことを特徴とする、請求項１〜請求項２の何れかに記載の荷崩れ防止用バンド。
【請求項４】
前記段差寸法は、５ｃｍ以下としていることを特徴とする、請求項１〜請求項３の何れかに記載の荷崩れ防止用バンド。
【請求項５】
前記固定手段が、前記折り返し用ロッド及び／又は牽引用ロッドの上下端近傍に穿設された挿通孔に仮止めされた縫着片を装着部内に挿入・装着し、前記縫着片と装着部の端部をまとめて束状にし、該束状部を縫着してなることを特徴とする、請求項１〜請求項４の何れかに記載の荷崩れ防止用バンド。
【請求項６】
前記固定手段が、前記折り返し用ロッド及び／又は牽引用ロッドと装着部を形成する布シートに適合する速乾性接着剤であることを特徴とする、請求項１〜請求項４の何れかに記載の荷崩れ防止用バンド。
【請求項７】
前記固定手段が、装着部内に前記折り返し用ロッド及び／又は牽引用ロッドを嵌装後、該折り返し用ロッド及び／又は牽引用ロッドの上下端近傍の表裏面に予め穿設された貫通孔に、ハトメを固着したことを特徴とする、請求項１〜請求項４の何れかに記載の荷崩れ防止用バンド。
【請求項８】
前記固定手段が、装着部内に前記折り返し用ロッド及び／又は牽引用ロッドを嵌装後、該折り返し用ロッド及び／又は牽引用ロッドの上下端近傍の表裏面に予め穿設された貫通孔に、金属線条体を貫通して止着したことを特徴とする、請求項１〜請求項４の何れかに記載の荷崩れ防止用バンド。
【請求項９】
前記折り返し用ロッド及び／又は牽引用ロッドは、ＦＲＰ又はＡＢＳ樹脂を素材とする中空丸棒体であることを特徴とする、請求項１〜請求項８の何れかに記載の荷崩れ防止用バンド。
【請求項１０】
前記折り返し用ロッド及び／又は牽引用ロッドの上下先端部は、面取りされていることを特徴とする、請求項１〜請求項９の何れかに記載の荷崩れ防止用バンド。
【発明の詳細な説明】
【技術分野】
【０００１】
本発明は、荷崩れ防止用バンドに係り、より詳しくは、荷役用パレット又は台車等に段積みされ、荷崩れ防止用バンドの段差部分に積載された積荷が、移送時における振動、衝撃等による床面への落下を防止すると共に、高さ寸法、形状等が異なる各種積荷に対応可能な汎用性ある荷崩れ防止用バンドに関する。
【背景技術】
【０００２】
従来、荷役用パレット、台車等に段積み状に積載された荷物の荷崩れを防止するためには、積荷の外周面に、長尺の透明合成樹脂製フィルムシートを水平方向に複数周巻回することが行われていた。しかし、該透明合成樹脂製フィルムシートは、一度の使用で使い捨てにされていたが、焼却処分時に有害ガスを発生するために、環境保全及び省資源上の観点から、透明合成樹脂製フィルムシートに代り、無公害で、再利用可能な荷崩れ防止用器具等の研究開発が急務となり、多数の荷崩れ防止用バンド、荷崩れ防止装置、荷崩れ防止カバー等が提案されるようになってきた。
【０００３】
例えば、特開２００４−３３１１３０（特許文献１）、実用新案登録３１２９９８５（特許文献２）及び実用新案登録３１１６１６９（特許文献３）等が開示されている。特許文献１は、段積み荷物に巻き付け固定するための荷崩れ防止バンドを提供するとし、その解決手段は、帯状の巻き付け部と、第１端部に取り付けられる第１取っ手ロッドと、通し孔と、第２端部に取り付けられる支持ロッドと、第２端部中央から延在する幅狭のバンド固定部と、バンド固定部の端部に取り付けられる第２取っ手ロッドと、バンド固定部の片面上に設けた第１面ファスナ及び端部に設けた第２面ファスナとを有し、バンド固定部を通し孔に通し折り返して第１と第２の面ファスナを接合させる、ことを特徴としている。
【０００４】
特許文献２は、運搬物をベルト本体で巻回するに際し、ベルト本体全体に均等に引っ張
り力が更に加わるようにすることを課題とし、その解決手段は、運搬用パレット上に段積
み状に積載した運搬物周囲を巻回して当該運搬物の荷崩れを防止する当該ベルト本体に、
運搬物に対する巻回力を更に引き締め可能とする引き締め手段を設け、該引き締め手段は、ベルト本体に対する中央縫着部分の一方の端部を折り返し可能な自由端部とし、表面には長手方向に沿って面ファスナーを布設して成る引き締めバンドと、引き締めバンドの自由端部に対向してベルト本体に連結し、自由端部を挿通し折り返してから引き締めバンド自体の面ファスナー本体部に接合可能とした挿通環とから成る、ことを特徴としている。
【０００５】
特許文献３は、簡易で反復使用出来る荷崩れ防止カバーを提供するとし、その解決手段は、荷崩れ防止カバーの胴巻き布に全方向引張り荷重に強い四軸織物叉は二軸織物二枚を互いに４５度かたむけて縫着した物を使用し、積載荷物に引掛ける三角形の布を荷の長方形上面の角に縫着し、長方形の各角に縦方向に補強布を設け、締付け帯、締付け保持帯の各々にマジックファスナ−を設け胴巻き布に相対するように複数平行に縫着し、長方形の各側面に透明なポケットを設け荷の内容物が表示出来るようにした。また使用後は折り畳んで収納が容易に出来るようにした、ことを特徴としている。
【０００６】
図６（ａ）は、上記従来技術である特許文献１〜特許文献３等の他、市販されている荷崩れ防止用バンドを示すもので、長尺の透明合成樹脂製フィルムシートに替わる、一周の巻回で段積みされた積荷を引き締める荷崩れ防止用バンド１００は、本体部１０、係止部１１、折り返し用ロッド１２、牽引用ロッド１３及び係止用面ファスナー１４等から構成され、本体部１０の幅員Ｈと係止部１１の幅員寸法Ｋが、大きな段差ｈ３になっている。例えば本体部１０の幅員Ｈが約８０ｃｍのとき、係止部１１の幅員Ｋは、約３５ｃｍ〜３６ｃｍで、本体部１０と係止部１１の上下に形成される段差ｈ３は、それぞれ約２２ｃｍ〜２２．５ｃｍ〜２２ｃｍとなっている。したがって、図６（ｄ）に示すように、パレットＰ等に段積みされた積荷Ｃ３の高さ寸法Ｃ３ｈが、段差ｈ３と略同等か、または小であるとき、段差部分の積荷Ｃ３は、フォークリフト又はクレーン等によるパレットの移送時の振動等で床面に落下する危険性がある。落下した積荷Ｃ３によって作業者が外傷を受けたり、積荷Ｃ３が破損することがある。そのために段差部分の積荷Ｃ３の落下防止手段として、別途補助バンド２００を垂直方向に巻回しなければならないという不具合もある。
【０００７】
図６（ｂ）は、牽引用ロッド１３が、係止部１１の上下端部に縫着された装着部１３ａ、１３ｂに嵌合されて装着された状態を示している。図６（ｃ）に示す折り返し用ロッド１２は、本体部１０の一端上下に縫着された装着部１２ａ、１２ｂに嵌合されて装着されている。折り返し用ロッド１２と装着部１２ａ、１２ｂの当接面１２ｃ、１２ｄは、使用頻度が高くなると共に、折り返し用ロッド１２の引っ張り負荷により伸びきり状態となり、装着部１２ａ、１２ｂ内で回動かつ緩着状態となっているために、牽引用ロッド１３を折り返し用ロッド１２に挿通し、これを折り返す作業において、折り返し用ロッド１２が装着部１２ａ、１２ｂから脱落する不具合が頻発している。
【特許文献１】特開２００４−３３１１３０号公報
【特許文献２】実用新案登録第３１２９９８５号
【特許文献３】実用新案登録第３１１６１６９号
【発明の開示】
【発明が解決しようとする課題】
【０００８】
工場又は倉庫等においては、荷役用パレット等上に積載される積荷Ｃ３の荷姿（積荷Ｃ３の形状による、外周長さ、高さ寸法等）は、種々異っているので現場作業者は、その都度、メジャー等で各寸法を計測し、その荷姿に適合するサイズの荷崩れ防止用バンドを選択しなければならない、いわゆるオーダーメード方式であるために、従来技術及び市販製品は不経済であり、かつ円滑な搬送作業が進められないという不都合も指摘されている。
【０００９】
そこで、本発明が解決しようとする第１の課題は、荷役用パレット又は台車等に段積みされ、荷崩れ防止用バンドの段差（本体部の端縁と係止部の端縁との段差寸法。以下、同じ。）部分に積載された積荷が、移送時の振動、衝撃等による床面への落下を防止すると共に、高さ、長さ寸法等や荷姿が異なる各種積荷に適合可能な汎用性ある荷崩れ防止用バンドの提供であり、第２の課題は、荷崩れ防止用バンドにおける折り返し用ロッド及び／又は牽引用ロッド、特に折り返し用ロッドが牽引作業時の荷重、使用頻度の高まり、移送時の振動、衝撃等による装着部からの脱落を防止することにある。
【課題を解決するための手段】
【００１０】
本発明者は、上記の従来技術及び市販製品が有する各種の問題点に鑑み、鋭意検討を重ねて、特に、パレット又は台車等に積載される積荷（無包装の平板状物を除く）の高さ寸法が、６ｃｍ以上であることに着目し、積荷の各種荷姿に適合する汎用性ある荷崩れ防止用バンド、いわゆるレディメード方式による、本発明を完成したものである。課題を解決するための手段は、本願の特許請求の範囲の各請求項に記載の発明であり、その具体的な解決手段は、以下の通りである。      
【００１１】
○第１の発明（請求項１に記載の発明）
上記の課題を解決するための第１の発明（請求項１に記載の発明）は、
所定の長さと幅員を有する本体部と該本体部の一端を延設した係止部（ポリエステル繊維又はナイロン繊維を主材とする布シートからなる。）と、
前記本体部の他端に装着された折り返し用ロッドと、
前記係止部の端部に装着された牽引用ロッドと、
前記本体部及び係止部と装着部（ポリエステル繊維又はナイロン繊維を主材とする布シートからなる。）と、
前記本体部と係止部の表面に取り付けられた係止部材とから構成され、
段積みされた積荷の外周面を、水平方向に巻回し、前記折り返し用ロッドと牽引用ロッドを介し、該積荷を引き締めて固定する荷崩れ防止用バンドであって、
前記折り返し用ロッド及び／又は牽引用ロッドは、それぞれ本体部と係止部の上下端部近傍に縫着された装着部に嵌装され、
前記本体部の上下端と前記係止部の上下端に形成される段差を狭小とすると共に、
前記折り返し用ロッド及び／又は牽引用ロッドは、固定手段により、前記装着部内での回動及び脱落が防止されていることを特徴とする、荷崩れ防止用バンドである。
【００１２】
○第２の発明（請求項２に記載の発明）
上記の課題を解決するための第２の発明（請求項２に記載の発明）は、
前記折り返し用ロッドは、本体部他端の端縁の外側に配設されていることを特徴とする、請求項１に記載の荷崩れ防止用バンドである。
【００１３】
○第３の発明（請求項３に記載の発明）
上記の課題を解決するための第３の発明（請求項３に記載の発明）は、
前記本体部と前記係止部の段差は、荷崩れ防止用バンドの長さ及び幅員に関係なく一定の段差寸法としたことを特徴とする、請求項１〜請求項２の何れかに記載の荷崩れ防止用バンドである。
【００１４】
○第４の発明（請求項４に記載の発明）
上記の課題を解決するための第４の発明（請求項４に記載の発明）は、
前記段差寸法は、５ｃｍ以下としていることを特徴とする、請求項１〜請求項３の何れかに記載の荷崩れ防止用バンドである。
【００１５】
○第５の発明（請求項５に記載の発明）
上記の課題を解決するための第５の発明（請求項５に記載の発明）は、
前記固定手段が、前記折り返し用ロッド及び／又は牽引用ロッドの上下端近傍に穿設された挿通孔に仮止めされた縫着片を装着部内に挿入・装着し、前記縫着片と装着部の端部をまとめて束状にし、該束状部を縫着してなることを特徴とする、請求項１〜請求項４の何れかに記載の荷崩れ防止用バンドである。
【００１６】
○第６の発明（請求項６に記載の発明）
上記の課題を解決するための第６の発明（請求項６に記載の発明）は、
前記固定手段が、前記折り返し用ロッド及び／又は牽引用ロッドと装着部を形成する布シートに適合する速乾性接着剤であることを特徴とする、請求項１〜請求項４の何れかに記載の荷崩れ防止用バンドである。
【００１７】
○第７の発明（請求項７に記載の発明）
上記の課題を解決するための第７の発明（請求項７に記載の発明）は、
前記固定手段が、装着部内に前記折り返し用ロッド及び／又は牽引用ロッドを嵌装後、該折り返し用ロッド及び／又は牽引用ロッドの上下端近傍の表裏面に予め穿設された貫通孔に、ハトメを固着したことを特徴とする、請求項１〜請求項４の何れかに記載の荷崩れ防止用バンドである。
【００１８】
○第８の発明（請求項８に記載の発明）
上記の課題を解決するための第８の発明（請求項８に記載の発明）は、
前記固定手段が、装着部内に前記折り返し用ロッド及び／又は牽引用ロッドを嵌装後、該折り返し用ロッド及び／又は牽引用ロッドの上下端近傍の表裏面に予め穿設された貫通孔に、金属線条体を貫通して止着したことを特徴とする、請求項１〜請求項４の何れかに記載の荷崩れ防止用バンドである。
【００１９】
○第９の発明（請求項９に記載の発明）
前記折り返し用ロッド及び／又は牽引用ロッドは、ＦＲＰ又はＡＢＳ樹脂を素材とする中空丸棒体であることを特徴とする、請求項１〜請求項８の何れかに記載の荷崩れ防止用バンドである。
【００２０】
○第１０の発明（請求項１０に記載の発明）
前記折り返し用ロッド及び／又は牽引用ロッドの上下先端部は、面取りされていることを特徴とする、請求項１〜請求項９の何れかに記載の荷崩れ防止用バンド。
【発明の効果】
【００２１】
本発明に係る、荷崩れ防止用バンドは、上記のような特徴的構成用件から構成され、特徴的構成用件に応じた、以下のような本願発明特有の効果を奏する。
また、上記のような特徴的構成用件から構成された荷崩れ防止用バンドによれば、本願発明の課題を十分解消することができる。
○第１の発明の効果
第１の発明によれば、
所定の長さと幅員を有する本体部と該本体部の一端を延設した係止部と、
前記本体部の他端に装着された折り返し用ロッドと、
前記係止部の端部に装着された牽引用ロッドと、
前記本体部及び係止部と装着部と、
前記本体部と係止部の表面に取り付けられた係止部材とから構成され、
段積みされた積荷の外周面を、水平方向に巻回し、前記折り返し用ロッドと牽引用ロッドにより、該積荷を引き締めて固定する荷崩れ防止用バンドであって、
前記折り返し用ロッド及び／又は牽引用ロッドは、それぞれ本体部と係止部の上下端部近傍に縫着された装着部に嵌装され、
前記本体部の上下端と前記係止部の上下端に形成される段差を狭小とすると共に、
前記折り返し用ロッド及び／又は牽引用ロッドは、固定手段により、前記装着部内での回動及び脱落が防止されているという、特徴的な構成により、荷役用パレット又は台車等に段積みされ、荷崩れ防止用バンドの段差部分に積載された積荷が、移送時の振動、衝撃等による床面への落下を防止すると共に、高さ、長さ寸法等や荷姿が異なる各種積荷に適合可能な汎用性ある荷崩れ防止用バンドの提供という第１の課題と、荷崩れ防止用バンドにおける折り返し用ロッド及び／又は牽引用ロッド、特に折り返し用ロッドが牽引作業時の荷重、使用頻度の高まり、移送時の振動、衝撃等による装着部からの脱落を防止するという、当業者が予測不可能な本願発明の第２の課題を併せて解決することができた。
【００２２】
○第２の発明の効果
第２の発明によれば、折り返し用ロッドは、本体部他端の端縁の外側に配設されている
（本体部他端の端縁と折り返し用ロッドの間には、牽引用ロッドが挿入される隙間（隙間スリットともいう。）が確保されている。）ので、係止部の端部に装着した牽引用ロッドは、挿入スリットから、本体部の表面から本体部の裏側へ通され、該折り返し用ロッドの裏側周囲面を３６０度廻され、本体部の表面に折り返された後、係止部材（雄面ファスナー）は、係止部材（雌面ファスナー）に押圧・係止されて、パレット又は台車等に積載される各種積荷は、少なくとも係止部によって拘束されることになり、運搬時に脱落・落下することが防止されるという、当業者が予測不可能な顕著な効果を奏する。
【００２３】
○第３の発明の効果
第３の発明によれば、本体部と前記係止部の段差は、荷崩れ防止用バンドの長さ及び幅員に関係なく一定の段差寸法（パレット又は台車等に積載される各種積荷の高さ寸法未満）としているので、パレット又は台車等に積載される各種積荷は、少なくとも係止部によって拘束されることになり、運搬時に脱落・落下することが防止されるという、当業者が予測不可能な顕著な効果を奏する。
○第４の発明の効果
第４の発明によれば、段差寸法は、５ｃｍ以下としているので、パレット又は台車等に積載される各種積荷の高さ寸法が、６ｃｍ以上であるという事実から考えれば、段差部分に積載された積荷は、荷崩れ防止用バンドの係止部で確実に拘束されることになり、フォークリフトやクレーン等の重機による移送時の振動等に起因する落下が防止されるという、当業者が予測不可能な顕著な効果を奏する。
【００２４】
○第５の発明の効果
第５の発明によれば、固定手段が、折り返し用ロッド及び／又は牽引用ロッドの上下端近傍に穿設された挿通孔に仮止めされた縫着片を装着部内に挿入・装着し、前記縫着片と装着部の端部をまとめて束状にし、該束状部を縫着してなるから、折り返し用ロッド及び／又は牽引用ロッドは、装着部内に強く固着され、巻回作業の使用頻度（例えば２０００〜３０００回）が高くなっても何ら影響を受けることなく、両ロッド、特に折り返し用ロッドが牽引作業時の荷重、使用頻度の高まり、移送時の振動、衝撃等による装着部からの脱落を防止するという、当業者が予測不可能な本願発明の第２の課題を解決することができた。
折り返し用ロッド及び／又は牽引用ロッドに、牽引作業、係止作業時に繰り返し荷重が掛り、また、積荷移送時の振動、衝撃等によって、折り返し用ロッド及び／又は牽引用ロッドが塑性変形が加重・増大され、装着部からの脱落・落下されることが大きな問題となっていたが、従来は、折り返し用ロッド及び／又は牽引用ロッドの装着部の挿入・装着代を５ｃｍ超え（最低１０ｃｍ程度必要とするのは、当業者常識となっていた。）とすることしか、具体的対応策は実現されていなかった。
一方、パレット又は台車等に積載される各種積荷は、少なくとも係止部によって拘束される箇所が不可避的に生じ（荷崩れ防止用バンドを種々の寸法の積荷に対応可能とするためには、小さな周囲寸法、大きな周囲寸法の種々積荷に対応するためには、係止部の長さ範囲を大とする必要が有る。）、少なくとも係止部によって拘束される箇所では運搬時に脱落・落下する危険性が大きい。
係止部によって拘束される箇所での運搬時に脱落・落下する危険性を解消するためには、本体部と前記係止部の段差は、荷崩れ防止用バンドの長さ及び幅員に関係なく一定の段差寸法（パレット又は台車等に積載される各種積荷の高さ寸法未満）とする必要がある。
しかし、荷崩れ防止用バンドの長さ及び幅員に関係なく一定の段差寸法（パレット又は台車等に積載される各種積荷の高さ寸法未満）とすることは、折り返し用ロッド及び／又は牽引用ロッド自体の塑性変形が加重・増大され、折り返し用ロッド及び／又は牽引用ロッドの装着部からの脱落・落下防止の関係から、二律背反の関係に有る。
本発明は、本体部と前記係止部の段差が小さくても、折り返し用ロッド及び／又は牽引用ロッドは、装着部内に強く固着されているので、脱落・落下防止が可能となるという特徴的構成を、具体化して、本発明を提供することができた（第６の発明の効果、第７の発明の効果、第８の発明の効果においても、同様のことが言える。）。
【００２５】
○第６の発明の効果
第６の発明によれば、固定手段が、折り返し用ロッド及び／又は牽引用ロッドと装着部を形成する布シートに適合する速乾性接着剤であるから、折り返し用ロッド及び／又は牽引用ロッドの上下端部は、速乾性接着剤を介して装着部内で急速かつ強力に固着されるので生産効率を向上させると共に、かつ使用頻度が高くなっても何ら影響を受けることなく、両ロッド、特に折り返し用ロッドが牽引作業時の荷重、使用頻度の高まり、移送時の振動、衝撃等による装着部からの脱落を防止するという、当業者が予測不可能な本願発明の第２の課題を解決することができた。
【００２６】
○第７の発明の効果
第７の発明によれば、固定手段が、装着部内に前記折り返し用ロッド及び／又は牽引用ロッドを嵌装後、該折り返し用ロッド及び／又は牽引用ロッドの上下端近傍の表裏面に予め穿設された貫通孔に、ハトメを固着してなるから、その固着作業は容易であり、かつ折り返し用ロッド及び／又は牽引用ロッドを各装着部に強固に固定し、両ロッド、特に折り返し用ロッドが牽引作業時の荷重、使用頻度の高まり、移送時の振動、衝撃等による装着部からの脱落を防止するという、当業者が予測不可能な本願発明の第２の課題を解決することができた。
【００２７】
○第８の発明の効果
第８の発明によれば、固定手段が、装着部内に前記折り返し用ロッド及び／又は牽引用ロッドを嵌装後、該折り返し用ロッド及び／又は牽引用ロッドの上下端近傍の表裏面に予め穿設された貫通孔に、金属線条体を貫通して止着してなるから、その固着作業は容易であり、かつ折り返し用ロッド及び／又は牽引用ロッドを各装着部に強固に固定し、両ロッド、特に折り返し用ロッドが牽引作業時の荷重、使用頻度の高まり、移送時の振動、衝撃等による装着部からの脱落を防止するという、当業者が予測不可能な本願発明の第２の課題を解決することができた。
【００２８】
○第９の発明の効果
第９の発明によれば、折り返し用ロッド及び／又は牽引用ロッドは、ＦＲＰ又はＡＢＳ樹脂を素材とする中空丸棒体であるから、荷崩れ防止用バンドの全重量を軽量とすると共に、長期の使用にも耐えるという効果を奏する。
【００２９】
○第１０の発明の効果
第１０の発明によれば、折り返し用ロッド及び／又は牽引用ロッドの上下先端部は、面取りされているので、折り返し用ロッド及び／又は牽引用ロッドを各装着部への嵌装作業が容易であり、また各ロッドの先端部が装着部の内部を傷つけることを防止できる。
【発明を実施するための最良の形態】
【００３０】
以下、本発明に係る、荷崩れ防止用バンド（以下、バンドＢという）に関する最良の実施形態について、図面を参照しながら説明する。図１（ａ）は、バンドＢの表面側の一部省略正面図、同（ｂ）は、図１（ａ）及び図５におけるＡ部の拡大正面図、同（ｃ）は、図１（ｂ）におけるイ−イ線拡大断面図、図２は、バンドＢの使用状態を示す斜視図、図３（ａ）〜（ｃ）は、折り返し用ロッド及び／又は牽引用ロッドを装着部に固定する固定手段の一例の作業工程を説明する斜視図、図４（ａ）〜（ｃ）は、固定手段の他の実施態様を示す斜視図、図５は、本発明に係る、バンドＢの他の実施形態を示す一部省略正面図、図６（ａ）は、市販製品である荷崩れ防止用バンド１００の一部省略正面図、同（ｂ）は、図６（ａ）におけるI−I線拡大断面図、同（ｃ）は、図６（ａ）におけるII−II線拡大断面図、同（ｄ）は、荷崩れ防止用バンド１００の使用状態を示す斜視図である。
【００３１】
図１（ａ）に示す、バンドＢは、所定の長さＬ１と幅員Ｗ１を有する本体部１と該本体部１の一端を延設した係止部２からなり、本体部１の他端に装着された折り返し用ロッド１ａは、該本体部１の上端部及び下端部近傍に縫着Ｓされた装着部１ｂ、１ｃに嵌装されている。また係止部２の端部には、牽引用ロッド２ａが、該係止部２の上端部及び下端部近傍に縫着Ｓされた装着部２ｂ、２ｃに嵌装されている。図示するバンドＢの長さＬ１は、例えば約４００ｃｍで、幅員Ｗ１は約８０ｃｍ、係止部２の幅員Ｋ１は約７０ｃｍで、本体部１と係止部２の上端部と下端部に設けられた段差ｈ１は、それぞれ５ｃｍとなっている。本体部１、係止部２及び装着部１３ｃ、２ｂ、２ｃの素材は、ポリエステル繊維又はナイロン繊維等を主材とし、厚さが約０．８ｍｍ〜１．５ｍｍの布シートである。また折り返し用ロッド１ａ及び牽引用ロッド２ａは、硬質樹脂材、例えばＦＲＰ（ファイバーレインフォースドプラスチック）又はＡＢＳ樹脂（アクリロニトリルブタジェン樹脂）等から選択され、公知技術による製造方法で製作された、直径約１０ｍｍ〜１３ｍｍの中空丸棒体である。４は、本体部１に係止部２を固定するための係止部材である、雌雄一対からなる１〜複数の面ファスナーで、例えば、マジックテープ（登録商標：クラレ（株）社製）等が好適に使用される。係止部材（雄面ファスナー）４ａは上端が鈎状をなし、牽引用ロッド２ａの装着部２ｂ、２ｃの上面に固着され、係止部材（雌面ファスナー）４ｂは、パイル地のようなループ体をなし、係止部材（雄面ファスナー）４ａから本体部１の長手方向に所定長さ分が固着されている。図１（ａ）〜（ｃ）に図示する３は、本体部１の表面に固着された仮止めバンドで、バンドＢの表裏面の視認と、バンドＢを巻き始め用の仮止めするものである。また、図１（ａ）〜（ｃ）に図示するように、折り返し用ロッド１ａは、バンドＢの巻回作業を円滑とするために、本体部１の他端の端縁１ｊより外方に配設され、装着部１ｂに嵌装されて本体部１に縫着Ｓされている。
【００３２】
図２は、本発明に係る、バンドＢの使用状態を示すもので、図示するように、パレットＰ等に段積みされた積荷Ｃ１は、本体部１と係止部２によって水平方向に巻回され、係止部の端部に装着した牽引用ロッド２ａは、隙間（隙間スリット）ＳＬから、本体部１の表面から本体部１の裏面側へ通され、該折り返し用ロッド１ａの裏側周囲面を３６０度廻され、本体部１の表面に折り返された後、係止部材（雄面ファスナー）４ａは係止部材（雌面ファスナー）４ｂに押圧・係止されて、パレットＰ又は台車等に積載される各種積荷Ｃ１は、少なくとも係止部２によって拘束されることになり、運搬時に脱落・落下することが防止される。
すなわち、係止部２の装着部２ｂ、２ｃの上面に固着された係止部材（雄面ファスナー）４ａ、４ａは、係止部材（雌面ファスナー）４ｂ、４ｂに押圧・係止される。これにより、パレットＰ等に段積みされた積荷Ｃ１の高さ寸法Ｃ１ｈ（６ｃｍ以上）は、常に段差ｈ１より大となるために、市販製品の荷崩れ防止用バンド１００を使用したときにできる、段差部分に積載された積荷Ｃ３が、フォークリフト又はクレーン等によるパレットの移送時の振動、衝撃等で床面に落下する危険性を防止することができ、また垂直方向に巻回するための補助バンド２００等が不要となる。
【００３３】
図３（ａ）〜（ｃ）は、図１及び図５に示すＡ部の拡大図である。これらの図面を参照し、折り返し用ロッド１ａ及び牽引用ロッド２ａを各装着部に固定する固定手段の一例の作業工程を説明する。図３（ａ）において、折り返し用ロッド１ａには予め、折り返し用ロッド１ａの上端部近傍に約５〜６ｍｍの挿通孔１ｄが穿設されている。５は縫着片で、長さ約１０〜１２ｍｍの布片で、該縫着片５は、挿通孔１ｄから折り返し用ロッド１ａの開口部１ｅからその長さが略均等になるように引き出される。装着部１ｂは、予め本体部１と同じシート体２枚を縫着Ｓして、一端に折り返し用ロッド１ａの外径と略同径（約１０ｍｍ〜１３ｍｍ）の嵌装口１ｆが形成されている。縫着片５を保持した折り返し用ロッド１ａは、嵌装口１ｆ内に挿入されて、図３（ｂ）の状態になる。次に図３（ｃ）に示すように、縫着片５は、装着部１ｂの端部１ｇと共にまとめられて束状とされた後、該束状部５ａは縫着５ｂされ、縫着片５は適宜位置を鋏等で切断される。なお、折り返し用ロッド１ａ及び牽引用ロッド２ａは、図１及び図５に示す各装着部１ｃ、２ｂ、２ｃに、上述と同じ工程で固着されるので、その説明は省略する。また、図３（ａ）〜（ｃ）及び図４（ａ）〜（ｃ）に図示する１ｍは、折り返し用ロッド１ａ及び牽引用ロッド２ａの上下先端部に形成された面取り部である。
【００３４】
図４（ａ）は、接着剤６を介し、折り返し用ロッド１ａ及び牽引用ロッド２ａを装着部１ｃ、２ｂ、２ｃに固定する固定手段を示し、折り返し用ロッド１ａ及び牽引用ロッド２ａと装着部１ｃ、２ｂ、２ｃの形成素材である布シートとの接合に適する速乾性接着剤６、例えば、ダイアエコビタ（商品名：ノガワケミカル（株）製）等を折り返し用ロッド１ａの開口部１ｅ等から滴入した後、直ちに同開口部１ｅから縫着片５を挿入する。挿入された該縫着片５が折り返し用ロッド１ａ内で固着後（約３〜５分）、二点鎖線で図示するよう折り返して、装着部１ｂ内に挿入し、図３（ｂ）、（ｃ）の示す同様の工程となり、縫着片５は、装着部１ｂの端部１ｇと共にまとめられて束状とされた後、該束状部５ａは縫着５ｂされ、縫着片５は適宜位置を鋏等で切断される。
【００３５】
図４（ｂ）は、折り返し用ロッド１ａ及び牽引用ロッド２ａと装着部１ｂとの固定手段としてハトメ７を使用する例を示している。折り返し用ロッド１ａ及び牽引用ロッドの上下端近傍の表裏面には、予め貫通孔１ｈが穿設されており、また装着部１ｂの一端は開口１ｉされ、他端は閉塞１ｋされている。折り返し用ロッド１ａは、装着部１ｂ内に嵌装された後、ハトメ７、７は貫通孔１ｈ、１ｈに固着される。
【００３６】
図４（ｃ）は、折り返し用ロッド１ａ及び牽引用ロッド２ａと装着部１ｂの固定手段が金属線条体８である例を示している。折り返し用ロッド１ａ及び牽引用ロッドの上下端近傍の表裏面には、予め貫通孔１ｈが穿設されており、また装着部１ｂの一端は開口１ｉされ、他端は閉塞１ｋされている。折り返し用ロッド１ａは、装着部１ｂ内に嵌装された後、金属線条体８は貫通孔１ｈ、１ｈに貫通され止着される。なお、図４（ａ）〜（ｃ）で説明した固定手段は、図１及び図５に示す各装着部１ｃ、２ｂ、２ｃに、上述と同じ工程で固着されるので、その説明は省略する。
【００３７】
図５は、バンドＢの他の実施形態で、バンドＢにおける本体部１の長さＬ２、幅員Ｗ２及び係止部２の幅員Ｋ２が変更されている。例えば、本体部１の長さＬ２は、約３００ｃｍ、幅員Ｗ２を約４０ｃｍ、係止部２の幅員Ｋ２を約３２ｃｍとしたもので、本体部１と係止部２の上端部と下端部に設けられた段差ｈ２は、それぞれ約４ｃｍとしている。これにより、パレットＰ等に段積みされた積荷の高さ寸法（６ｃｍ以上）は、段差ｈ２より大となる（不図示）ために、段差部分に積載された積荷が、フォークリフト又はクレーン等によるパレットの移送時の振動、衝撃等で床面に落下する危険性を防止することができ、また補助バンド等の巻回作業も不要となる。
【００３８】
上述したように、本発明に係るバンドＢは、本体部１の長さＬ１、幅員Ｗ１及び係止部２の幅員Ｋ１等が各種変更されても、本体部１と係止部２との幅員寸法差である段差ｈ１は、常に狭小な５ｃｍ以下としているから、パレットＰ等に積載される各種積荷Ｃ１の高さ寸法、形状（荷姿）等が異なっても、本体部１と係止部２との段差部分から積荷Ｃ１が床面等に落下することがなく、安全性が確保される共に、汎用性あるバンドＢとして各種工場、倉庫及び物流業界において多用されることが期待される。さらに本発明に係るバンドＢは、環境保全、省資源かつコスト削減等にも貢献が大なる、社会的かつ、経済的にも有意義な発明である。
【図面の簡単な説明】
【００３９】
【図１】（ａ）は、本発明に係る、バンドＢの表面側の一部省略正面図、同（ｂ）は、図１（ａ）におけるＡ部の拡大正面図、同（ｃ）は、図１（ｂ）におけるイ−イ線拡大断面図である。
【図２】は、本発明に係る、バンドＢの使用状態を示す斜視図である。
【図３】（ａ）〜（ｃ）は、折り返し用ロッド及び／又は牽引用ロッドを装着部に固定する固定手段の一例の作業工程を説明する斜視図である。
【図４】（ａ）〜（ｃ）は、固定手段の他の実施態様を示す斜視図である。
【図５】は、本発明に係る、バンドＢの他の実施形態を示す一部省略正面図である。
【図６】（ａ）は、市販製品である荷崩れ防止用バンド１００の一部省略正面図、同（ｂ）は、図６（ａ）におけるI−I線拡大断面図、同（ｃ）は、図６（ａ）におけるII−II線拡大断面図、同（ｄ）は、荷崩れ防止用バンド１００の使用状態を示す斜視図である。
【符号の説明】
【００４０】
Ｂ                          荷崩れ防止用バンド
ｈ１、ｈ２                  段差
Ｓ                          縫着
１                          本体部
１ａ                        折り返し用ロッド
１ｂ、１ｃ                  装着部
１ｄ                        挿通孔
１ｈ                        貫通孔
１ｊ                        端縁
２                          係止部
２ａ                        牽引用ロッド
２ｂ、２ｃ                  装着部
４                          係止部材
４ａ                        係止部材（雄面ファスナー）
４ｂ                        係止部材（雌面ファスナー）
５                          縫着片
５ａ                        束状部
５ｂ                        縫着
６                          接着剤
７                          ハトメ
８                          金属線条体
９                          面取り
ＳＬ                        隙間スリット
【図１】
2009051563.tif 000003
【図２】
2009051563.tif 000004
【図３】
2009051563.tif 000005
【図４】
2009051563.tif 000006
【図５】
2009051563.tif 000007
【図６】
2009051563.tif 000008